(57)【要約】      （修正有）【課題】装着及び取り外しが容易で、かつ、装着状態の調節が可能であり、また、パーツが分離しない首周り装着具を提供する。【解決手段】首周り装着具Ａは、帯状体１０と筒状体２０と紐体３０とからなり、帯状体１０の中央より一方の半部側１１が筒状体２０に挿通され、帯状体１０の中央より他方の半部側１２が筒状体２０に抜き差し可能であり、筒状体２０は、その内側に紐挿通環状部４０を備えており、紐体３０は、紐挿通環状部４０に挿通され、その両端３１、３２が帯状体１０の一方の半部側１１において、その中央部１４を跨ぐように縫着されてなるものである。【選択図】図２
0003118905.tif 000002
【実用新案登録請求の範囲】
【請求項１】
帯状体と筒状体と紐体とからなり、
前記帯状体の中央より一方の半部側が前記筒状体に挿通され、該帯状体の中央より他方の半部側が該筒状体に抜き差し可能であり、
前記筒状体は、その内側に紐挿通環状部を備えており、
前記紐体は、前記紐挿通環状部に挿通され、その両端が帯状体の一方の半部側において、その中央部を跨ぐように縫着されてなる
ことを特徴とする首周り装着具。
【請求項２】
帯状体が、帯状に縫製したものであることを特徴とする請求項１に記載の首周り装着具。
【請求項３】
帯状体が、折り畳むことにより帯状の形態をなすシートよりなることを特徴とする請求項１に記載の首周り装着具。
【請求項４】
紐挿通環状部が、筒状体の構成部材を延長して形成されてなることを特徴とする請求項１〜３のいずれか１項に記載の首周り装着具。
【請求項５】
紐挿通環状部が、筒状体の構成部材とは別体の部材を付設することにより形成されてなることを特徴とする請求項１〜３のいずれか１項に記載の首周り装着具。
【考案の詳細な説明】
【技術分野】
【０００１】
本考案は、ネクタイやネッカチーフ等の首周り装着具に関し、特に装着及び取り外しが容易で、かつ、装着状態の調節が可能であり、また、パーツが分離しない首周り装着具に関する。
【背景技術】
【０００２】
従来より、帯状体の両端部を別体の環状体に差し込んで使用する首周り装着具が使用されている。しかしこの首周り装着具は、環状体から帯状体の両端部を抜き出してしまうと、帯状体と環状体がバラバラになってしまうので、管理が困難という欠点がある。また、帯状体と環状体が分離すると装着が面倒という欠点がある。
【０００３】
この欠点に鑑み、下記特許文献１には、帯状体の中央より一方の端部側の側縁に紐よりなるループを設け、そのループに他方の端部を差し込んで使用するスカーフが示されている。
【特許文献１】特開２００５−１６３２４８
【考案の開示】
【考案が解決しようとする課題】
【０００４】
上記特許文献１に記載のスカーフは、パーツが分離することがないので、その点に関する欠点は解消されるものの、ループが固定されているので、装着状態を調節する際の融通性に乏しいという欠点がある。
【０００５】
そこで本考案者は、鋭意研究を重ね、装着及び取り外しが容易で、かつ、装着状態の調節が可能であり、また、パーツが分離しない首周り装着具を開発した。
【課題を解決するための手段】
【０００６】
本考案に係る首周り装着具は、帯状体と筒状体と紐体とからなり、前記帯状体の中央より一方の半部側が前記筒状体に挿通され、該帯状体の中央より他方の半部側が該筒状体に抜き差し可能であり、前記筒状体は、その内側に紐挿通環状部を備えており、前記紐体は、前記紐挿通環状部に挿通され、その両端が帯状体の一方の半部側において、その中央部を跨ぐように縫着されてなることを特徴とするものである。
【０００７】
上記のように構成したことにより、帯状体の他方の半部側は筒状体から引き抜くことが可能であり、筒状体は、筒状体内側における紐挿通環状部に紐体が挿通されているため帯状体の一方の半部側において、該紐体に案内されながら紐体の長さ分だけ摺動可能となる。また、紐体の両端が帯状体の一方の半部側に縫着されているため、筒状体は帯状体の一方の半部側から分離しない。
【０００８】
なお、上記の帯状体は、帯状に縫製したものでもよく、また、折り畳むことにより帯状の形態をなすシートよりなるものでもよい。帯状に縫製したものである場合にはネクタイとしての装着体裁となり、シート状にした場合にはネッカチーフとしての装着体裁が可能となる。
【０００９】
また、紐挿通環状部が、筒状体の構成部材を延長して形成されるようにしてもよく、また、筒状体の構成部材とは別体の部材を付設することにより形成されるようにしてもよい。前者の場合には、製造しやすく、かつ、コストが節約できる。また、後者の場合には、異なる材質を使用して摺動性等の機能性を向上させることができる。
【考案の効果】
【００１０】
上記した本考案に係る首周り装着具は、装着及び取り外しが容易で、かつ、装着状態の調節が可能であり、また、パーツが分離しない効果がある。
【考案を実施するための最良の形態】
【００１１】
以下に、本考案に係る首周り装着具の好適な実施例について詳述する。
【実施例１】
【００１２】
図１は本実施例に係る首周り装着具の表面図であり、図２は本実施例に係る首周り装着具の裏面図であり、図３は本実施例に係る首周り装着具の要部拡大斜視図であり、図４は本実施例に係る首周り装着具の筒状体を裏返した状態を示す斜視図であり、図５は本実施例に係る首周り装着具の第１の装着状態を示す正面図であり、図６は本実施例に係る首周り装着具の第２の装着状態を示す正面図であり、図７は筒状体の変更例であって、筒状体を裏返した状態を示す斜視図である。
【００１３】
図１及び図２において、Ａは本実施例に係る首周り装着具であり、首周り装着具Ａは帯状体１０、筒状体２０、及び、紐体３０とから構成される。
【００１４】
帯状体１０は、１枚の生地を二つ折りにし、その周囲を縫着してなる長さが１ｍ前後で、幅が５ｃｍ前後の長尺な帯状をなすものであり、同図において、中央より右半部側１１に筒状体２０が外装されている。なお、本実施例における帯状体１０はネクタイとしての体裁を目的としたものであるが、該帯状体は、必ずしも縫着して帯状にしたものに限られるものではなく、矩形のシートを折り畳んで帯状に構成した帯状体であってもよい。その場合には、装着したときに帯状体を広げることができるので、ネッカチーフとしての体裁を呈することになる。
【００１５】
筒状体２０は、１枚の生地の端部２１、２２同士を縫着して筒状に形成したものであり、図１及び図２に示すように、筒状体２０に帯状体１０の右半部側１１が挿通される。また、帯状体１０の左半部側１２は、図１に示す筒状体２０の表面側２３に対して、その内側に挿通することが可能であり、引き抜くことも可能になっている。該筒状体２０は、図３に示すように、帯状体１０の裏面側１３と紐挿通環状部４０及び紐体３０を介して接続されている。すなわち、筒状体２０は、図４の裏返した状態を示す図に示すように、その内側において、端部２１、２２同士を縫着するのと同時に、その縫着箇所に別体の小片の生地を環状に折り返して縫着してなる紐挿通環状部４０を備えている。なお、紐挿通環状部４０は、前記のように別体の生地を使用して構成するものに限られるものではなく、図７に示すように、筒状体２０’の構成部材を延長して紐挿通環状部４０’を形成してもよい。本実施例のように紐挿通環状部４０を設けた場合には、筒状体２０とは異なる材質を紐挿通環状部４０に使用して摺動性を向上させることができる。図７に示した紐挿通環状部４０’は、製造しやすく、かつ、コストが節約できる。
【００１６】
前記紐体３０は、前記紐挿通環状部４０を貫通しながら、その両端３１、３２が、前記帯状体１０の右半部側１１のほぼ中央部１４を跨ぐように縫着されている。すなわち、例えば、帯状体１０に対して紐体３０の一方の端部３１を縫着し、その後に帯状体１０を筒状体２０に挿通すると共に紐体３０の他方の端部３２を筒状体２０の内側に備える紐挿通環状部４０に挿通して、その端部３２を帯状体１０に縫着することにより、本実施例における首周り装着具Ａが完成する。したがって、筒状体２０は、その内側に備える紐挿通環状部４０に紐体３０を挿通することにより、紐体３０に取り付けられているため、筒状体２０は、紐体３０に案内されながら紐体３０のほぼ長さ分だけ摺動可能となる。
【００１７】
以上のように、本実施例における首周り装着具Ａは、帯状体１０の左半部側１２は筒状体２０から引き抜くことが可能であり、筒状体２０は、筒状体２０の内側における紐挿通環状部４０に紐体３０が挿通されているため帯状体１０の右半部側１１において、該紐体３０に案内されながら紐体３０の長さ分だけ摺動可能となる。また、紐体３０の両端３１、３２が帯状体１０の右半部側１１に縫着されているため、筒状体１０は帯状体１０の右半部側１１から分離しない。
【００１８】
上記のように構成された首周り装着具Ａは、図５に示すように、帯状体１０を首周りに装着し、筒状体２０を下方に位置させて、襟周りが楽なように緩めに装着した状態であり、その状態から、筒状体２０を上方に摺動させると、図６に示すように、襟周りを締めて装着した状態となる。このように、本実施例に係る首周り装着具Ａは、筒状体２０が帯状体の半部側１１に摺動自在に取り付けられているので、筒状体２０が上下するだけで装着状態を簡単に調節でき、それのみならず筒状体２０が帯状体１０からすっぽ抜けて分離してしまうようなことがなく、また、必要に応じて帯状体の半部側１２は引き抜くことができ、極めて便利な首周り装着具である。
【図面の簡単な説明】
【００１９】
【図１】本実施例に係る首周り装着具の表面図である。
【図２】本実施例に係る首周り装着具の裏面図である。
【図３】本実施例に係る首周り装着具の要部拡大斜視図である。
【図４】本実施例に係る首周り装着具の筒状体を裏返した状態を示す斜視図である。
【図５】本実施例に係る首周り装着具の第１の装着状態を示す正面図である。
【図６】本実施例に係る首周り装着具の第２の装着状態を示す正面図である。
【図７】筒状体の変更例であって、筒状体を裏返した状態を示す斜視図である。
【符号の説明】
【００２０】
Ａ・・・首周り装着具
１０・・帯状体
１１・・帯状体の右半部側
１２・・帯状体の左半部側
１３・・帯状体の裏面側
１４・・帯状体の右半部側の中央部
２０・・筒状体
２１・・筒状体を構成する生地の端部
２２・・筒状体を構成する生地の端部
２３・・筒状体の表面側
３０・・紐体
３１・・紐体の端部
３２・・紐体の端部
４０・・紐挿通環状部
２０’・筒状体
４０’・紐挿通環状部
【図１】
0003118905.tif 000003
【図２】
0003118905.tif 000004
【図３】
0003118905.tif 000005
【図４】
0003118905.tif 000006
【図５】
0003118905.tif 000007
【図６】
0003118905.tif 000008
【図７】
0003118905.tif 000009